(57)【要約】【課題】周囲環境の異常を検出し周囲環境の情報を記憶する機能を有する照明装置を提供する。【解決手段】実施形態の照明装置１０は、周囲環境の情報を検出するセンサ部１７と、予め定められた閾値を記憶した記憶部１５と、センサ部１７が検出した検出情報の検出値と記憶部１５が記憶した閾値とを比較し、検出値が異常であると判断された場合、常用時よりも短い周期で検出情報を記憶部１５に記憶するように制御する制御部１３とを備える。【選択図】図３
2019057464.tif 000002
【特許請求の範囲】
【請求項１】
周囲環境の情報を検出するセンサ部と；
予め定められた閾値を記憶した記憶部と；
前記センサ部が検出した検出情報の検出値と前記記憶部が記憶した閾値とを比較し、検出値が異常であると判断された場合、常用時よりも短い周期で前記検出情報を前記記憶部に記憶するように制御する制御部と；
を具備していることを特徴とする照明装置。
【請求項２】
前記検出値が少なくとも前記閾値を超える場合に異常であると判断することを特徴とする請求項１に記載の照明装置。
【請求項３】
前記照明装置は、外部電源から供給された電力を充電可能な蓄電池を有し、前記外部電源からの電力の供給が遮断された場合、前記センサ部と前記制御部と前記記憶部とは、前記蓄電池から供給される電力で駆動することを特徴とする請求項１または請求項２に記載の照明装置。
【請求項４】
前記蓄電池から供給される電力で駆動時に異常と判断された場合は、前記外部電源から供給された電力で駆動時に異常と判断された場合よりも長い周期で前記検出情報を前記記憶部に記憶することを特徴とする請求項３に記載の照明装置。
【発明の詳細な説明】
【技術分野】
【０００１】
本発明の実施形態は、周囲環境の情報を検出するセンサ部を有する照明装置に関する。
【背景技術】
【０００２】
従来、施設内に取り付ける防災用装置として、煙や熱を感知して警報を鳴らすことができる火災報知器や、非常時に非常用電源を用いて点灯する非常用照明装置や避難経路等への誘導のために点灯する誘導用照明装置が提供されている。これら照明装置は、施設内に所定の間隔で設置されており、たとえば災害が発生した場合や商用電源が喪失した場合等の非常時に、非常用電源を用いて施設内を照明する。
【０００３】
しかしながら、これらの照明装置は、たとえば火災が発生した場合、火災時の施設内の環境情報を把握することができず、また、どの位置が火災元であるか把握することが困難である。
【先行技術文献】
【特許文献】
【０００４】
【特許文献１】特開２００７−２１４１４６号公報
【発明の概要】
【発明が解決しようとする課題】
【０００５】
本発明が解決しようとする課題は、周囲環境の異常を検出し、周囲環境の情報を記憶する機能を有する照明装置を提供することである。
【課題を解決するための手段】
【０００６】
実施形態の照明装置は、周囲環境の情報を検出するセンサ部と、予め定められた閾値を記憶した記憶部と、センサ部が検出した検出情報の検出値と記憶部が記憶した閾値とを比較し、検出値が異常であると判断された場合、常用時よりも短い周期で検出情報を記憶部に記憶するように制御する制御部とを備える。
【発明の効果】
【０００７】
本発明によれば、周囲環境の異常を検出し、周囲環境の情報を記憶することで異常時の周囲環境の状況を把握することができる。
【図面の簡単な説明】
【０００８】
【図１】実施形態の照明装置を設置した照明空間を示す構成図である。
【図２】同上照明装置を示す斜視図である。
【図３】同上照明装置の構成例を示すブロック図である。
【図４】同上照明システムの動作を示すフローチャート図である。
【発明を実施するための形態】
【０００９】
以下、実施形態を図面を参照して説明する。
【００１０】
図１は実施形態の照明装置１０を設置した照明空間１を示す。図１に示すように、照明装置１０は施設内の照明空間１の天井面に複数台設置される。具体的には、照明装置１０は停電時などの非常時に点灯する非常灯であり、それぞれ天井面に所定の間隔で設置されている。また、照明装置１０は、無線通信機能を有し外部端末２０と無線通信可能に構成されている。
【００１１】
図２および図３は、照明装置１０の構成を示している。この照明装置１０は、光源１１と、蓄電池１２と、制御部１３および記憶部１５と、発信部１４と、センサ部１７とを備え、これらは筐体１６の内部に収納されている。また、筐体１６の背面側には、外部電源１８と接続される端子台１９が設けられている。
【００１２】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１３】
蓄電池１２は、筐体内部に着脱可能な電池であり、ニカド電池、ニッケル水素電池、あるいはリチウムイオン電池などの充電可能な二次電池である。
【００１４】
外部電源１８は、商用交流電源、あるいは直流電源など、任意の電源とすることが可能である。本実施形態では、外部電源を商用交流電源としている。
【００１５】
端子台１９は、筐体１６の背面側に設けられており、図示しない電線を介して外部電源１８と制御部１３とを電気的に接続するものである。
【００１６】
制御部１３は、外部電源１８および蓄電池１２と電気的に接続されており、外部電源１８および蓄電池１２からの電力を光源１１、発信部１４、センサ部１７などに供給するものである。制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００１７】
また、制御部１３は点検部（図示しない）と記憶部１５を備えており、点検部が点検した点検情報を記憶部１５に記憶し、点検情報を発信部１４から外部端末へ出力するように制御することができる。
【００１８】
点検部は、蓄電池１２の電圧、電流、温度、放電時間及び放電回数を検知することにより非常用照明装置１０の蓄電池１２が正常に動作するか否かの点検を行い、これらの点検情報を記憶部１５に出力する。
【００１９】
また、制御部１３は、センサ部１７により照明装置１０の周囲環境の状態を検出し、検出情報を記憶部１５に記憶するように制御することができる。
【００２０】
センサ部１７は、制御部１３に制御され周囲環境の状態の検出を行い検出情報を記憶部１５に出力する。センサ部１７は、たとえば温度センサであり照明装置１０の周囲環境の状態として周囲温度を検出する。尚、実施形態では、センサ部１７として温度センサを用いた場合について説明するが、これに限定されるものではなく、たとえばセンサ部１７はガスや煙を検知するセンサであってもよい。
【００２１】
また、制御部１７は時間を計測する計時部（図示しない）を備えており、上述した点検情報や検出情報とともに、点検した時刻や検出した時刻を記憶部１５に記憶させる。また、制御部１３は、任意に定められた時刻にセンサ部１７が検出した検出情報を記憶部１５に記憶するよう制御する。具体的には、たとえば１日に１度その日の午前１２時に検出情報を記憶部１５に記憶させる（以降、記憶時刻と称する）。
【００２２】
記憶部１５は揮発性メモリおよび不揮発性メモリなどから構成される。記憶部１５は、点検部から入力される点検情報やセンサ部１７から入力される検出情報を記憶する。
【００２３】
また、記憶部１５には予め定められた周囲環境の閾値が記憶されている。この周囲環境の閾値とは具体的には、周囲温度である。制御部１３は、センサ部１７が周囲温度を検出すると検出情報としての検出値と閾値を比較する。比較の結果、検出値が閾値以上ではない場合（閾値未満）、正常であると判断する。一方、検出値が閾値以上の場合（検出値≧閾値）、異常であると判断し、たとえば所定の間隔、具体的には１０秒毎に検出値と検出時刻を周期定期に記憶部１５に記憶する。
【００２４】
なお、検出値が閾値を超える場合（検出値＞閾値）に、異常であると判断するようにし、検出値と検出時刻を周期定期に記憶部１５に記憶するようにしてもよい。
【００２５】
すなわち、検出値が少なくとも閾値を超える場合に、検出情報を記憶部１５に記憶するように動作すればよく、具体的には、検出値が閾値を超える場合（検出値＞閾値）に初めて記憶動作するようにしてもよいし、検出値が閾値と同じ値の場合を含めて（検出値≧閾値）記憶動作するようにしてもよい。
【００２６】
発信部１４は、無線通信でデータを送受信するためのインターフェースである。通信部１４は、たとえば、Ｂｌｕｅｔｏｏｔｈ（登録商標）接続をサポートするインターフェースである。ここでは、ＢＬＥ通信をサポートするものとする。発信部１４は、制御部１３に接続されており記憶部１５が記憶している情報を無線信号として外部端末に送信する。
【００２７】
次に照明装置１０の動作について説明する。
【００２８】
図４は照明装置１０のセンサ部１７が周囲温度を検出する動作を示すフローチャートである。
【００２９】
センサ部１７は照明装置１０の周囲温度を検出し制御部１３へ出力する（Ｓ１）。制御部１３はセンサ部１７から入力された周囲温度と記憶部１５に予め記憶した周囲温度の閾値とを比較する（Ｓ２）。ここで、検出値が閾値未満の場合、制御部１３は正常と判断し、検出時の時刻が記憶時刻であるか判定する（Ｓ３）。検出時の時刻が記憶時刻でない場合Ｓ１へ戻る。一方、Ｓ３において検出時の時刻が記録時刻である場合、制御部１３は、検出値と時刻を記憶部１５に記憶する（Ｓ４）。その後、Ｓ１へ戻る。一方、Ｓ２において検出値が閾値以上の場合、制御部１３は異常と判断しセンサ部１４が検出した周囲温度と時刻を記憶部１５に記憶する（Ｓ４）。また、制御部１３が異常と判断した場合、記憶部１５に所定の間隔、具体的には１０秒毎に検知情報と時刻を周期的に記憶することで異常時の周囲温度の推移を記録することができるようになっている。
【００３０】
このように、制御部１３は、センサ部１７が検出した検出値と閾値とを比較し、正常であった場合は設定した記憶時刻に検出値と時刻を記憶することで、過剰に検出情報を記憶せず記憶部１５の容量の負担を軽減させる。一方で、検出値が異常であった場合は、１０秒毎に検出値と時刻を記憶することで照明装置１０の周辺環境の状況を把握することができる。そのため、火災後に、施設内に所定の間隔で設置された各照明装置１０の記憶部１５の情報を取り出すことで、火災時の照明装置１０周辺の温度上昇推移を把握できるとともに火災の出火時刻、出火元を特定することができる。
【００３１】
また、照明装置１０は常用時は外部電源から供給される電力により駆動しているが、たとえば、火災時に停電になった場合は蓄電池１２から電力を供給することによりセンサ部１７、光源部１１、制御部１３が駆動してもよい。これにより、停電時に停止することなくセンサ部１７で周囲環境の状況を検出することができる。
【００３２】
非常時にセンサ部１７が蓄電池１２の電力で駆動時に異常と判断した場合、非常時に外部電源からの電力で駆動時に異常と判断した場合の記憶間隔よりも長い間隔で記憶する。具体的には３０秒毎に検知情報と時刻を周期的に記憶することで蓄電池１２の電力消費を軽減させるとともに記録することができる。
【００３３】
また、実施形態では、照明装置１０のセンサ部１７は温度センサをも用いた構成について説明したがこれに限るものではない。たとえば、ガスや煙を検知するものであっても良い。この場合、記憶部１５に記憶される閾値は濃度値であり、センサ部１７が検出した周囲環境の濃度が閾値以上の濃度であった場合に異常と判断する。
【００３４】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１０  照明装置
１１  光源
１２  蓄電池
１３  制御部
１４  発信部
１５  記憶部
１７  センサ部
１８  外部電源
【図１】
2019057464.tif 000003
【図２】
2019057464.tif 000004
【図３】
2019057464.tif 000005
【図４】
2019057464.tif 000006